(57)【要約】【課題】  排水栓装置に対する毛髪等の引っ掛かりを防ぐとともに、清掃性を向上させた装置の提供を課題とする。【解決手段】内部に排水流路を形成する排水配管と、槽体Ｂの底部に設けられた排水口３の開閉を行う弁体２０と、弁体２０の操作を行う操作部１１と、操作部１１に加えられた操作を排水口側へ伝達する伝達部１５と、から成る排水栓装置であって、伝達部１５は一端部において弁体２２を昇降させる昇降部１６を備え、前記排水配管は、排水流路の外側に形成された収納部１０を備え、弁体２０又は昇降部１０の少なくとも一部は、当該収納部１０内に配置されることを特徴とする排水栓装置である。【選択図】図１
2018009286.tif 000002
【特許請求の範囲】
【請求項１】
内部に排水流路を形成する排水配管と、
槽体の底部に設けられた排水口の開閉を行う弁体と、
弁体の操作を行う操作部と、
操作部に加えられた操作を排水口側へ伝達する伝達部と、
から成る排水栓装置であって、
伝達部は一端部において弁体を昇降させる昇降部を備え、
前記排水配管は、排水流路の外側に形成された収納部を備え、
弁体又は昇降部の少なくとも一部は、当該収納部内に配置されることを特徴とする排水栓装置。
【請求項２】
内部に排水流路を形成する排水配管と、
槽体の底部に設けられた排水口の開閉を行う弁体と、
弁体の操作を行う操作部と、
操作部に加えられた操作を排水口側へ伝達する伝達部と、
から成る排水栓装置であって、
伝達部は一端部において弁体を昇降させる昇降部を備え、
前記排水配管は、平面視において、排水口を介して目視することが不可能な位置に形成された収納部を備え、
弁体又は昇降部の少なくとも一部は、当該収納部内に配置されることを特徴とする排水栓装置。
【請求項３】
前記収納部は、排水流路の一部が拡開されて形成されたことを特徴とする請求項１又は請求項２に記載の排水栓装置。
【請求項４】
前記排水配管は、排水流路の一部を覆う遮蔽部を備え、
前記収納部は、上記遮蔽部の下方に形成されていることを特徴とする請求項１乃至請求項３のいずれか１つに記載の排水栓装置。
【請求項５】
前記被昇降部は、内側方向へ向けて弾性変形可能であることを特徴とする請求項１乃至請求項４のいずれか１つに記載の排水栓装置。
【請求項６】
前記排水口は、開口周縁において内向きに傾斜するテーパ部を有することを特徴とする請求項１乃至請求項５のいずれか１つに記載の排水栓装置。
【発明の詳細な説明】
【技術分野】
【０００１】
本発明は、洗面ボウルやシンク、浴槽等の槽体の底面に形成された排水口の開閉を行う弁体を遠隔的に操作する排水栓装置に関するものである。
【背景技術】
【０００２】
排水栓装置は、操作部に加えた操作を、伝達部を介して弁体へと伝達し、弁体が排水口を開閉する装置である。
従来の排水栓装置としては、伝達部が端部にレバー状の昇降部を有し、操作部の操作に伴い昇降部が変位することにより、昇降部上に載置された弁体が上昇又は下降する構造のものが知られている。しかし、当該従来の排水栓装置においては、弁体を取り外した際、昇降部が排水口内部に突出した状態となってしまう。従って、当該突出した昇降部に排水中の毛髪等が堆積することで誤作動が生じる、不衛生である等の問題が生じていた。又、突出部分は使用者から視認可能であるため、見栄えが悪くなってしまうが、当該突出部分の清掃は非常に困難であった。
【先行技術文献】
【特許文献】
【０００３】
【特許文献１】特開２０１５−１１３５５６号公報
【発明の概要】
【発明が解決しようとする課題】
【０００４】
本発明は上記問題に鑑み、昇降部の排水口内部への突出を無くし、排水栓装置に対する毛髪等の堆積等を防ぐとともに、清掃性を向上させた装置の提供を課題とする。
【０００５】
請求項１に記載の本発明は、内部に排水流路を形成する排水配管と、
槽体の底部に設けられた排水口の開閉を行う弁体と、
弁体の操作を行う操作部と、
操作部に加えられた操作を排水口側へ伝達する伝達部と、
から成る排水栓装置であって、
伝達部は一端部において弁体を昇降させる昇降部を備え、
前記排水配管は、排水流路の外側に形成された収納部を備え、
弁体又は昇降部の少なくとも一部は、当該収納部内に配置されることを特徴とする排水栓装置である。
【０００６】
請求項２に記載の本発明は、内部に排水流路を形成する排水配管と、
槽体の底部に設けられた排水口の開閉を行う弁体と、
弁体の操作を行う操作部と、
操作部に加えられた操作を排水口側へ伝達する伝達部と、
から成る排水栓装置であって、
伝達部は一端部において弁体を昇降させる昇降部を備え、
前記排水配管は、平面視において、排水口を介して目視することが不可能な位置に形成された収納部を備え、
弁体又は昇降部の少なくとも一部は、当該収納部内に配置されることを特徴とする排水栓装置である。
【０００７】
請求項３に記載の本発明は、前記収納部は、排水流路の一部が拡開されて形成されたことを特徴とする請求項１又は請求項２に記載の排水栓装置である。
【０００８】
請求項４に記載の本発明は、前記排水配管は、排水流路の一部を覆う遮蔽部を備え、
前記収納部は、上記遮蔽部の下方に形成されていることを特徴とする請求項１乃至請求項３のいずれか１つに記載の排水栓装置である。
【０００９】
請求項５に記載の本発明は、前記被昇降部は、内側方向へ向けて弾性変形可能であることを特徴とする請求項１乃至請求項４のいずれか１つに記載の排水栓装置である。
【００１０】
請求項６に記載の本発明は、前記排水口は、開口周縁において内向きに傾斜するテーパ部を有することを特徴とする請求項１乃至請求項５のいずれか１つに記載の排水栓装置である。
【発明の効果】
【００１１】
上記本発明によれば、弁体又は昇降部の少なくとも一部が収納部内に配置されている。これにより、弁体を取り外した状態で排水口より排水流路を目視した際、昇降部が排水流路内へと突出する部分が低減される、又は完全に存在することなく、意匠性及び清掃性に優れている。
即ち、従来の排水栓装置は昇降部が排水流路内に突出し、当該突出部分に弁体が載置される構造のものであったが、本発明は逆に、弁体の一部を排水流路外や目視不可部分に突出させ、当該突出部分において弁体を昇降させる構造である。従って、従来例に比べ昇降部の突出量を更に低減する、又は無くすことが可能となり、排水配管の内面を平滑にすることが可能となる。
【図面の簡単な説明】
【００１２】
【図１】第一実施形態の施工状態を示す断面図である。
【図２】（ａ）排水配管を示す断面図（ｂ）平面図である。
【図３】弁体を示す断面図である。
【図４】弁体取り付け時における被昇降部の変形を示す断面図である。
【図５】弁体の上昇状態を示す断面図である。
【図６】第二実施形態の施工状態を示す断面図である。
【図７】（ａ）弁体を示す断面図（ｂ）（ａ）のＡ−Ａ’断面図である。
【図８】第三実施形態を示す断面図である。
【図９】図８のＡ−Ａ’断面図である。
【図１０】（ａ）排水配管を示す断面図（ｂ）平面図である。
【図１１】弁体を示す断面図である。
【発明を実施するための形態】
【００１３】
以下に、本発明の排水栓装置を、図面を参照しつつ説明する。尚、以下に記載する発明は実施形態の理解を容易にするためのものであり、これによって発明が制限して理解されるものではない。又、以下の実施形態においては、特に断りの無い限り図１に示す状態を基準として上下左右及び部材同士の位置関係を説明する。
【００１４】
図１乃至図５に示す第一実施形態に係る本発明は槽体Ｂとしての洗面ボウルに取り付けられる排水栓装置であり、図１に示すように、排水栓１、配管５、操作部１１、伝達部１５、昇降部１６、弁体２０より構成されている。尚、以降においては、排水栓１や配管５等、内部に「排水流路を形成する配管」を総称する場合、「排水配管」という。又、ここにいう排水流路とは排水口３から流入した排水がスムーズに流れた場合に主に通過する流路を指すものであり、以下に記載する実施形態において、基本的に排水は上流から下流にスムーズに流れるものとして考える。例えば、下流側の流路が段によって拡径し、上流側よりも大径とした場合では、段の下方は段の影になって殆どの排水が流入しないものであるから、「排水流路外」とする。
尚、表面張力等による排水方向の変化や、排水がスムーズに流れず管内が満水となった場合に、上記「排水流路外」の部分にも予期せぬ排水が流入する場合はある。即ち、「排水流路外」とは、「排水が流れない部分」ではなく、「（排水がスムーズに流れる限りにおいては）排水が流れこみにくくした部分」である。「排水流路外」となる部分は、上記したように、段等を利用し、流路の影となる部分を作るなどして、意図的に構成することができる。
【００１５】
槽体Ｂは上方が開口された箱状の洗面ボウルであって、図示しないキャビネット上に載置されている。又、槽体Ｂはその底面に開口を有しており、当該開口には排水栓１が取り付けられている。
【００１６】
排水栓１は内部に排水流路を形成する中空且つ円筒状の排水配管であって、上端外周から外側に向けて鍔部２が形成されており、下端には下水へと連続する配管５が取り付けられている。鍔部２はパッキンを介して槽体Ｂ底面の開口周縁を挟持することによって取り付けられており、当該取り付け状態において、排水栓１の上端は排水口３として機能し、当該排水口３より槽体Ｂ内部に吐水された湯水や毛髪等が排出される。
ここで、図２に示すように、排水栓１は排水口３周縁において、下方へ向かうにつれて縮径するように形成されたテーパ部４が形成されている。尚、テーパ部４上端の幅Ｗ３は後述する被昇降部２４の幅Ｗ１よりも大径であり、テーパ部４下端の幅Ｗ２（即ち排水口３の径であり、排水栓１の内径）は被昇降部２４の幅Ｗ１よりも小径である。
【００１７】
配管５は配管上部６と配管下部７から構成され、排水栓１の下端に接続された円筒状の排水配管である。配管上部６はその上端がナットによって排水栓１下端に取り付けられており、当該接続箇所の下方において、周方向外側に向けて拡開するように形成された大径部分を備えている。配管下部７はその上面が外側へと突出するフランジ状となっており、上記配管上部６下端と当接するとともに、ナットによって接続されている。尚、図１に示すように、配管下部７には伝達部１５及び昇降部１６が取り付けられており、操作部１１の操作によって昇降部１６が上方へ向けて突出可能となっている。
【００１８】
ここで、上記配管５は配管上部６と配管下部７が組み合わさった状態において、上部配管５の大径部と配管下部７上端によって、排水流路外に収納部１０を形成する。即ち、収納部１０は、排水配管（配管５）の内周が周方向外側に拡開されることによって構成されており、断面視凹状に形成されている。尚、図２（ａ）において記載した補助線（２点鎖線）の外側が収納部１０である。
収納部１０の内径はその上流側の排水流路の内径よりも大きく、収納部１０内部は全て上流側の排水配管によって覆われている。従って、図２（ｂ）に示すように、平面視において、排水口３を介して収納部１０を目視することは不可能となっている。即ち、上記収納部１０内に配置された昇降部１６も同様に、平面視において排水口３を介して目視不可能となっている。
【００１９】
操作部１１は使用者によって直接操作が加えられる押動部１２を有し、槽体Ｂの縁部に保持されている。操作部１１は伝達部１５と接続されており、押動部１２の変位を、伝達部１５を介して弁体２０を昇降させるとともに、操作部１１内に配置されたパッキンの摩擦によって当該弁体２０の昇降状態を保持する。尚、保持の方法に関しては、公知のスラストロック機構を用いる等しても良い。
【００２０】
伝達部１５は樹脂製のチューブ体であるアウターチューブと、アウターチューブ内に配置された金属の撚り線であるインナーワイヤより成る公知のレリースワイヤであり、押動部１２の変位に伴いインナーワイヤがアウターチューブ内を摺動することによって操作部１１へ加えられた操作を弁体２０側へと伝達する。又、伝達部１５は弁体２０側の端部において昇降部１６が取り付けられている。
【００２１】
昇降部１６は端部にインナーワイヤが固定された筒状部材であり、インナーワイヤが弁体２０側へと摺動することによって収納部１０内に突出し、弁体２０の被昇降部２４を押し上げる。尚、本実施形態においては、昇降部１６は収納部１０内に配置されたリング部材１７を介して被昇降部２４と当接している。
【００２２】
図３に示すように、弁体２０は排水口３の開閉を行う弁蓋２１と、弁蓋２１裏面に取り付けられた弁軸２２、塵芥を補足する目皿２３、及び被昇降部２４より構成されている。
弁蓋２１は周囲にパッキンが嵌着された止水部材であり、排水栓装置の作動に伴い昇降する。尚、弁蓋２１が下降状態にある時、パッキンが排水口３の周縁に形成されたテーパ部４に当接することにより、槽体Ｂ内部に湯水を貯留可能とするとともに、弁蓋２１が上昇状態にある時には、槽体Ｂ内部の湯水を排水栓１や排水配管を通じて下流側へと排出することが可能となる。
弁軸２２は樹脂製の円柱部材であり、その中程において目皿２３を備えているとともに、下端において被昇降部２４を備えている。
目皿２３は網目状の捕集部を有する円形部材であり、その外径は排水流路の内径とほぼ同径である。尚、本実施形態において、目皿２３は弁軸２２に２箇所配置されており、上方に配置された目皿２３は排水栓１内部に形成された段部上に載置されている。
被昇降部２４は弁軸２２下端に形成された２本の腕状部であり、図１に示す施工状態において、その一部が収納部１０内に配置されるとともに、下端が昇降部１６と当接している。又、被昇降部２４は弧状に形成されており、下方に進むにつれて対向する被昇降部２４同士が互いに離間する様に構成されている。尚、最も幅広となる被昇降部２４下端の水平方向の幅Ｗ１は、テーパ部４下端の幅Ｗ２（排水口３の内径）よりも大きく、テーパ部４上端の径Ｗ３よりも小さい。
【００２３】
ここで、被昇降部２４は可撓性を有するＰＯＭ樹脂やＰＰ樹脂等から成り、内側に向けて応力が加わった際、被昇降部２４同士が互いに近接する様に変形可能である。従って、弁体２０を取り付ける際には、図４（ａ）及び図４（ｂ）に示すように、被昇降部２４をテーパ部４に押し付けると、テーパ部４によって被昇降部２４同士が互いに近接し、上記幅Ｗ１がテーパ部４下端の幅Ｗ２よりも小さくなることで弁体２０を排水口３より挿入することが可能となる。そして、被昇降部２４が収納部１０に到達するまで弁体２０が挿入されると、被昇降部２４は自身の弾性力によって元の状態に復帰する。この時、被昇降部２４の下端は排水流路外に配置され、当該排水流路の外側において、リング部材１７を介して被昇降部２４と当接する。
【００２４】
上記各部材から成る排水栓装置の動作は以下の通りである。
【００２５】
図１に示すように、弁体２０が下降している状態より、使用者によって押動部１２が押し下げられると、押動部１２の変位を伝達部１５が弁体２０側へ伝達する。この時、インナーワイヤの摺動により昇降部１６が収納部１０内に突出し、リング部材１７を押し上げる。そして、リング部材１７が押し上げられることにより、図５に示すように、弁体２０が上昇する。尚、当該弁体２０の上昇状態は、操作部１１内部に配置されたパッキンの摩擦によって保持される。
次に、上記弁体２０の上昇状態より、押動部１２に引き上げ操作が加えられると、インナーワイヤの摺動により昇降部１６が下降し、リング部材１７及び弁体２０が下降する。
【００２６】
上記排水栓装置の清掃を行う際、弁体２０を引き上げると、収納部１０の上面と被昇降部２４が当接し、被昇降部２４に対して内側方向への応力が加えられる。従って、当該応力によって被昇降部２４が互いに近接するように変形し、排水口３より弁体２０を取り外すことが可能となる。
ここで、本発明においては、弁体２０を取り外した状態で排水口３を介して排水流路を目視したとしても、図２（ｂ）に記載の平面図に示すように、排水流路内に突出する部材は一切存在しない。即ち、昇降部１６が排水流路の外に形成された収納部１０内に配置されていることから、排水栓装置に対する毛髪等の引っ掛かりを防ぐとともに、装置の清掃性を向上させることが可能となる。
【００２７】
尚、上記第一実施形態において、昇降部１６はその全てが収納部１０内に配置されていたが、その一部のみが収納部１０内に配置されても良いものである。又、被昇降部２４は弁軸２２と一体に形成されていたが、被昇降部２４と弁軸２２は別体に形成されていても良ものである。
【００２８】
本発明の第一実施形態は以上であるが、本発明は上記第一実施形態の形状に限られるものではなく、本発明の主旨を逸脱しない範囲において種々の変更を加えても良いものである。例えば、上記第一実施形態において、被昇降部２４は２本の腕状部であったが、その本数は適宜変更可能なものである。又、第一実施形態においては、昇降部１６が必ずリング部材１７を介して被昇降部２４と当接していたが、昇降部１６が被昇降部２４と直接当接しても良い。
又、被昇降部の形状についても、図６及び図７に示す第二実施形態のように、腕状の被昇降部２４に変えて、平面視略Ｃ字状の被昇降部２４を採用しても良い。当該被昇降部２４は図７（ｂ）に示すように、一部に切り欠きを備えており、内側に向けて応力が加わった際、被昇降部２４の端部同士が近接し、排水口３より挿入することが可能となるとともに、収納部１０内にて元の状態に復帰し、取り付けが可能となる。尚、取り外しの際には上記第一実施形態と同様に、弁体２０を引き上げるだけで良い。
【００２９】
又、上記各実施形態において、収納部１０は排水流路の一部が拡開することによって形成されていたが、以下に記載する第三実施形態のように、排水流路の一部を覆う遮蔽部２５が排水配管に形成されており、当該遮蔽部２５の下方に収納部１０が形成されていても良い。尚、当該第三実施形態においては、図１０（ａ）において記載した補助線（二点鎖線）の外側が収納部１０である。
以下に、本発明の第三実施形態についてするが、上記第一実施形態と同様の構造等については同一の符号を付してその説明を省略する。
【００３０】
配管５は排水栓１の下端に接続された排水配管であり、垂直方向に伸びる縦管部分と、側方に伸びる枝管部２６を備えている。又、配管５は縦管部分中程において、内側に向けて突出する遮蔽部２５を備えており、当該遮蔽部２５の下方にリング部材１７及び昇降部１６が配置されている。遮蔽部２５は配管５を縮径するように内側に向けて突出しており、その上面には内側に向けて下り傾斜するテーパ部４が形成されている。尚、配管５において、テーパ部４の上流側及び下流側の排水流路はその内径がほぼ同一であって、排水口３の内径とほぼ同径である。
【００３１】
昇降部１６は端部にインナーワイヤが固定された、平面視略Ｕ字形状を成しており、インナーワイヤが弁体２０側へと摺動することによって収納部１０内に突出し、弁体２０の被昇降部２４を押し上げる。尚、図９に示すように、昇降部１６は全てリング部材１７の下方又は横管部２６内に配置されており、如何なる場合においても排水流路内には突出しない。
【００３２】
図１１に示す通り、弁体２０は排水口３の開閉を行う弁蓋２１と、弁蓋２１裏面に取り付けられた弁軸２２、塵芥を補足する目皿２３、及び被昇降部２４より構成されている。
弁蓋２１は周囲にパッキンが嵌着された止水部材であり、排水栓装置の作動に伴い昇降する。尚、弁蓋２１が下降状態にある時、パッキンが排水口３の周縁に形成されたテーパ部４に当接することにより、槽体Ｂ内部に湯水を貯留可能とするとともに、弁蓋２１が上昇状態にある時には、槽体Ｂ内部の湯水を排水栓１や排水配管を通じて下流側へと排出することが可能となる。
弁軸２２は樹脂製の円柱部材であり、その中程において目皿２３を備えているとともに、下端において被昇降部２４を備えている。
目皿２３は網目状の捕集部を有する円形部材であり、その外径は排水流路の内径とほぼ同径である。尚、本実施形態において、目皿２３は弁軸２２に２箇所配置されており、上方に配置された目皿２３は排水栓１内部に形成された段部上に載置されている。
被昇降部２４は弁軸２２下端に形成された２本の腕状部であり、図８に示す施工状態において収納部１０内に配置され、その下端がリング部材１７を介して昇降部１６と当接している。又、被昇降部２４は弧状に形成されており、下方に進むにつれて対向する被昇降部２４同士が互いに離間する様に構成されている。尚、被昇降部２４下端における水平方向の幅Ｗ１は、排水口３の内径とほぼ同一であり、遮蔽部２５によって縮径された排水流路の内径（テーパ部４下端における排水流路の内径）よりも大きい。
【００３３】
ここで、被昇降部２４は可撓性を有するＰＯＭ樹脂やＰＰ樹脂等から成り、内側に向けて応力が加わった際、被昇降部２４同士が互いに近接する様に変形可能である。従って、弁体２０を取り付ける際には、弁体２０を排水口３内部に挿通し、被昇降部２４を遮蔽部２５に押し付けると、テーパ部４によって被昇降部２４同士が互いに近接し、上記幅Ｗ１が遮蔽部２５によって縮径された排水流路の内径（テーパ部４下端における排水流路の内径）よりも小さくなることで弁体２０を遮蔽部２５よりも下方まで挿入することが可能となる。そして、被昇降部２４が収納部１０に到達するまで弁体２０が挿入されると、被昇降部２４は自身の弾性力によって元の状態に復帰する。この時、被昇降部２４の下端は排水流路外に配置され、当該排水流路の外側において、リング部材１７を介して被昇降部２４と当接する。
【００３４】
上記各部材から成る排水栓装置の動作は以下の通りである。
【００３５】
弁体２０が下降している状態より、使用者によって押動部１２が押し下げられると、伝達部１５が押動部１２の変位を弁体２０側へ伝達する。この時、インナーワイヤの摺動により昇降部１６が収納部１０内に突出し、昇降部１６がリング部材１７に対して側方より当接し、昇降部１６とリング部材１７に形成された傾斜面によってリング部材１７が押し上げられる。そして、リング部材１７が押し上げられることにより、弁体２０が上昇する。尚、当該弁体２０の上昇状態は、リング部材１７が昇降部１６の上に載置されることによって保持される。
次に、上記弁体２０の上昇状態より、押動部１２に引き上げ操作が加えられると、インナーワイヤの摺動により昇降部１６が後退し、リング部材１７及び弁体２０が下降する。
尚、上述の通り、昇降部１６は全てリング部材１７の下方又は横管部２６内に配置されており、如何なる場合においても排水流路内には突出しない。
【００３６】
上記排水栓装置の清掃を行う際、弁体２０を引き上げると、遮蔽部２５の下面と被昇降部２４が当接し、被昇降部２４に対して内側方向への応力が加えられる。従って、当該応力によって被昇降部２４が互いに近接するように変形し、排水口３より弁体２０を取り外すことが可能となる。
ここで、本発明においては、弁体２０を取り外した状態で排水口３を介して排水流路を目視したとしても、図１０（ｂ）に記載の平面図に示すように、排水流路内に突出する部材は一切存在しない。即ち、昇降部１６が排水流路の外に形成された収納部１０内に配置されていることから、排水栓装置に対する毛髪等の引っ掛かりを防ぐとともに、装置の清掃性を向上させることが可能となる。
【符号の説明】
【００３７】
Ｂ          槽体
１          排水栓
２          鍔部
３          排水口
４          テーパ部
５          配管
６          配管上部
７          配管下部
１０        収納部
１１        操作部
１２        押動部
１５        伝達部
１６        昇降部
１７        リング部材
２０        弁体
２１        弁蓋
２２        弁軸
２３        目皿
２４        被昇降部
２５        遮蔽部
２６        枝管部
【図１】
2018009286.tif 000003
【図２】
2018009286.tif 000004
【図３】
2018009286.tif 000005
【図４】
2018009286.tif 000006
【図５】
2018009286.tif 000007
【図６】
2018009286.tif 000008
【図７】
2018009286.tif 000009
【図８】
2018009286.tif 000010
【図９】
2018009286.tif 000011
【図１０】
2018009286.tif 000012
【図１１】
2018009286.tif 000013